(57)【要約】【課題】硬度が大きいコンクリート等に孔を開けるに際し回転工具のコンクリートドリルを回転しながら打撃振動を与えスムーズに孔開けができる。【解決手段】コンクリートドリル１を回転しながら打撃振動する回転及び振動機構ｂを嵌着し、嵌着した前記機構ｂと回転しながら打撃振動すると共に、前方外周部３に外側係止部４を有する中空状カラーａと、外側係止部４に嵌合する内側係止部４ｃを内側部３ａの前方部に形成し、カラーａより大径の中空状切替えグリップｃとを別設し、カラーａに切替えグリップｃを嵌挿しグリップｃを前進すると外側係止部４と内側係止部４ｃとが嵌合係止すると中空状カラーａと切替えグリップｃが前記機構ｂによりドリル１が回転しながら打撃振動し、クリップｃを前進せしめて内側係止部４ｃを外側係止部４より嵌合係止状態から離脱しグリップｃを空転せしめて回転工具１を回転し、スクレーパー２と回転工具１とを取換えて回転する。【選択図】    図１
2010046754.tif 000002
【特許請求の範囲】
【請求項１】
コンクリートドリルを回転しながら打撃振動する回転及び振動機構を嵌着し、且嵌着せしめた回転及び振動機構と一体となって回転しながら打撃振動すると共に、前方の前方外周部に外側係止部を有する中空状カラーと、前記中空状カラーの前記外側係止部に嵌合する内側係止部を内側部の前方部に形成し、前記カラーの径より大径の中空状切替えグリップとを別設し、前記中空状カラーに前記中空状切替えグリップを嵌挿し、前記グリップを前進すると前記外側係止部と前記内側係止部とが嵌合係止し前記中空状カラーと前記切替えグリップが前記回転及び振動機構によってコンクリートドリルが回転しながら打撃振動し、他方スクレーパーの場合は前記中空状カラーと前記切替えクリップが嵌合係止すると振動し、前記クリップを前進せしめて前記内側係止部を前記外側係止部より嵌合係止状態から離脱し前記グリップを空転せしめて前記回転工具を回転し、前記スクレーパーと前記回転工具とを取り換えて回転せしめることを特徴とするコンクリートドリル等の切替え機構。
【請求項２】
前記中空状カラーは、前方部に前方嵌着孔を、後方部に後方螺孔を設け、前記前方嵌着孔より後方部に前記前方嵌着孔の径より大径の第１嵌挿孔を、前記第１嵌挿孔の後方部に順次径が大径の第２嵌挿孔と第３嵌挿孔とを形成し、且前記第２嵌挿孔と前記中空状カラーの後方外周部との間に、前記第２嵌挿孔に達する押しネジが螺入可能の螺孔を形成するか、もしくは前記押しネジと前記押しネジを螺入する螺孔を有しないことを特徴とする請求項１に記載するコンクリートドリル等の切替え機構。
【請求項３】
前記中空状切替えグリップの前記内側係止部は、内側部の前方部に形成し、且内側部の後方部をフラット面にて形成し、且前記中空状カラーの後方外周部と密着できる形状にて形成することを特徴とする請求項１又は請求項２に記載のコンクリートドリル等の切替え機構。
【請求項４】
前記回転及び振動機構は、スプリングとワッシャーを嵌挿し且前方に螺子部を、後方部より前方部方向の内部の中心部位に嵌挿部及びスチールボールが挿入可能な複数のボール嵌挿部を、前方後方部に後方継合部を有する前方シャフトを形成し、中心部位に貫通孔を、前方部に前記前方シャフトの後方継合部と噛合する前方継合部を、且外周部全体に凹溝を有するジョイント付シャフトを形成し、前方に前段シャフトを後方にシャンクを有し、前記前段シャフトと前記シャンクとの間に中段シャフトと鍔部と後段シャフトとからなる後方シャフトを形成し、前記後方シャフトの後段シャフトに挿入する挿入孔を有するベアリングと、前記カラーの後方螺孔と螺着する雄ネジを外周に形成し、前記後方シャフトの後段シャフトが嵌挿する嵌挿孔を有する止めネジとを有し、前記前方シャフトに前記スプリングと前記ワッシャーを挿入し、前記ジョイント付シャフトの嵌挿孔に後方シャフトを挿入後前記前方シャフトの嵌挿孔に挿入せしめ、且前記前方シャフトの後方継合部と前記ジョイント付シャフトの前方継合部とを噛合し、前記カラー内の第１嵌挿孔、第２嵌挿孔、第３嵌挿孔に挿入し、前記前方嵌着孔より前記前方シャフトの螺子部を飛出し、前記ベアリングを前記後方シャフトの後段シャフトに挿入して前記止めネジを前記カラーの後方螺孔に螺着すると共に、前記螺孔に押しネジを螺入して前記押しネジの先端部がジョイント付シャフトの凹溝に挿入し、前記カラーに前記中空状切替えグリップを嵌挿せしめることを特徴とする請求項１又は請求項２又は請求項３に記載のコンクリートドリル等の切替え機構。
【請求項５】
スクレーパーを振動せしめる振動機構を嵌着し、且嵌着せしめた振動機構と一体となって振動し、前方の前方外周部に外側係止部を有する中空状カラーと、前記中空状カラーの前記外側係止部に嵌合する内側係止部を内側部の前方部に形成し、前記カラーの径より大径の中空状切替えグリップとを別設し、前記中空状カラーに前記中空状切替えグリップを嵌挿し、前記グリップを前進すると前記外側係止部と前記内側係止部とが嵌合係止すると前記中空状カラーと前記切替えグリップが前記振動機構によって回転工具スクレーパーが振動し、前記スクレーパーに代えて回転工具を嵌着したときは、前記グリップを後進せしめて前記内側係止部を前記外側係止部より嵌合係止状態から離脱し前記グリップを空転せしめて前記回転工具を回転せしめることを特徴とするコンクリートドリル等の切替え機構。
【請求項６】
前記回転及び振動機構は、スプリングとワッシャーを嵌挿し且前方に螺子部を、後方部に後方継合部を有する前方シャフトを形成し、前方部に前記前方シャフトの後方継合部と噛合する前方継合部を、且前方に前段シャフトを後方にシャンクを有し、前記前段シャフトと前記シャンクとの間に中段シャフトとを有する後方シャフトを形成し、前記中段シャフトを挿入する挿入孔を有するベアリングと、前記カラーの後方螺孔と螺着する雄ネジを外周に形成し、前記後方シャフトの中段シャフトが嵌挿する嵌挿孔を有する止めネジとを有し、前記前方シャフトに前記スプリングと前記ワッシャーを挿入し、前記前方シャフトの後方継合部と前記後方シャフトの前方継合部とを噛合し、前記カラー内の第１嵌挿孔、第２嵌挿孔に前記前方シャフトと後方シャフトとを挿入し、前記前方嵌着孔より前記前方シャフトの螺子部を飛出し、前記ベアリングを前記後方シャフトの中段シャフトに挿入して前記止めネジを前記カラーの後方螺孔に螺着すると共に、前記カラーに前記中空状切替えグリップを嵌挿せしめることを特徴とする請求項５に記載のコンクリートドリル等の切替え機構。
【発明の詳細な説明】
【技術分野】
【０００１】
本発明は、コンクリートドリル等の切替え機構の技術分野に関するものである。
【背景技術】
【０００２】
従来回転工具のドリルを介して硬いモルタル壁やコンクリートに回転と振動を与えドリル刃を欠落させないようにして孔開けする考案として、登録第３０７１４０６号の登録実用新案公報（ドリル軸振動アダプター）が開示されている。
【０００３】
前記実用新案の考案であるドリル軸振動アダプターは、その創作の目的が電動ドリルの軸に手軽にアダプターを取付ける事で刃先に回転・振動を与え、モルタル壁・コンクリート・石膏ボード等の穴開け作業を効率的・精密的に行うことができるドリル軸振動アダプターを得るものであった。
【０００４】
さらに前記実用新案のドリル軸振動アダプターは、その目的を達成するために、掴みハンドル１０と一体になったドリル振動アダプター１内部の軸固定ハンマー受け６が回転するとスライドハンマー７と段差８にて落差が発生し、弾かれたバネ９によって軸方向に衝撃が発生する。ドリル軸刃先３へは回転及び振動を与える。又、軸の正回転及び逆回転についてもクラッチ１１によって同様の振動が得られるとするものである。
【０００５】
従って、前記登録実用新案のドリル軸振動アダプターは、孔開け作業が終了すると前記モルタル壁やコンクリートのように硬い材質の孔開け作業以外に比較的硬度の小さい材質の孔開け作業をするのに、前記ドリル軸振動アダプターの一部分を右方向もしくは左方向にスライドして孔開け作業を調整する機構ではない。
【０００６】
さらに前記開示の実用新案ドリル軸振動アダプターは、ドリル軸振動アダプターの前方部の刃先固定器４にドリル刃先３が嵌着されているが、前記ドリルに替えてスクレーパーを取着せしめ振動のみを与えて剥がした作業をすることができない機構である。
【特許文献１】実用新案登録第３０７１４０６号公報
【発明の開示】
【発明が解決しようとする課題】
【０００７】
しかるに本発明のコンクリートドリル等の切替え機構は、中空状カラーに嵌挿せしめる中空状切替えグリップを前進もしくは後進せしめることによって、硬度が著しく大きいコンクリート等に孔を開けるに際し回転工具のコンクリートドリルを回転しながら打撃振動を与えコンクリート内に入っている砂利を破壊しながらスムーズに孔開けができるようにしたものである。
【０００８】
さらにコンクリートへの孔開け作業の終了後は、前記グリップを後進せしめ打撃振動を与えずに前記コンクリートよりも硬度の小さい、いわゆる木製板材等の孔開け作業ができるようにしたものである。
【０００９】
従って本発明のコンクリートドリル等の切替え機構は、前記切替えグリップと前記中空状カラーとの嵌合係止もしくは嵌合係止の解除によってコンクリートもしくは硬度の小さい木製板材への孔開け作業が確実にして、且スムーズにできるようにしたものである。
【００１０】
さらに本発明のコンクリートドリル等の切替え機構は、前記コンクリートドリル以外のスクレーパーを使用する場合でも、前記コンクリートドリルと同じく中空状切替えグリップを前進させると、前記グリップと前記中空状カラーとが一体となって嵌合係止し、電気工具の駆動力によって振動して前記カラーの先端部に接続しているスクレーパーを振動せしめ、前記切替えグリップを握持しながら剥がし作業をスムーズにしかも確実に行うことができるようにしたものである。
【００１１】
さらに前記作業の終了後は、前記電動工具をストップして、前記切替えグリップを電動工具の方向に後進せしめて嵌合係止を解除し、且取着中の前記スクレーパーを取外し、取外し後は回転工具用ドリルを嵌着せしめ前記電動工具を回転せしめると前記切替えグリップだけは空転することなく、前記電動工具によって回転している前記カラーが、前記回転工具用ドリルを回転して孔開け作業ができるようにしたものである。
【００１２】
従って本発明は、スクレーパーの振動による剥がし作業と、回転工具用ドリルによる孔開け作業とを本発明の切替え機構によって行うことができるようにしたものである。
【課題を解決するための手段】
【００１３】
請求項１記載の発明は、コンクリートドリル１を回転しながら打撃振動する回転及び振動機構ｂを嵌着し、且嵌着せしめた回転及び振動機構ｂと一体となって回転しながら打撃振動すると共に、前方の前方外周部３に外側係止部４を有する中空状カラーａと、前記中空状カラーａの前記外側係止部４に嵌合する内側係止部４ｃを内側部３ａの前方部に形成し、前記カラーａの径より大径の中空状切替えグリップｃとを別設し、前記中空状カラーａに前記中空状切替えグリップｃを嵌挿し、前記グリップｃを前進すると前記外側係止部４と前記内側係止部４ｃとが嵌合係止し前記中空状カラーａと前記切替えグリップｃが前記回転及び振動機構ｂによってコンクリートドリル１が回転しながら打撃振動し、他方スクレーパー２の場合は前記中空状カラーａと前記切替えクリップｃが嵌合係止すると振動し、前記クリップｃを前進せしめて前記内側係止部４ｃを前記外側係止部４より嵌合係止状態から離脱し前記グリップｃを空転せしめて前記回転工具１を回転し、前記スクレーパー２と前記回転工具１とを取り換えて回転せしめることを特徴とするコンクリートドリル等の切替え機構である。
【００１４】
請求項２記載の発明は、前記中空状カラーａは、前方部に前方嵌着孔５を、後方部に後方螺孔６を設け、前記前方嵌着孔５より後方部に前記前方嵌着孔５の径より大径の第１嵌挿孔７を、前記第１嵌挿孔７の後方部に順次径が大径の第２嵌挿孔８と第３嵌挿孔９とを形成し、且前記第２嵌挿孔８と前記中空状カラーａの後方外周部１０との間に、前記第２嵌挿孔８に達する押しネジ１２が螺入可能の螺孔１１を形成するか、もしくは前記押しネジ１２と前記押しネジ１２を螺入する螺孔１１を有しないコンクリートドリル等の切替え機構である。
【００１５】
請求項３記載の発明は、前記中空状切替えグリップｃの前記内側係止部４ｃは、内側部３ａの前方部に形成し、且内側部３ａの後方部をフラット面にて形成し、且前記中空状カラーａの後方外周部１０と密着できる形状にて形成するコンクリートドリル等の切替え機構である。
【００１６】
請求項４記載の発明は、前記回転及び振動機構ｂは、スプリング１４とワッシャー１５を嵌挿し且前方に螺子部１６を、後方部１７より前方部方向の内部の中心部位に嵌挿部１８及びスチールボール１９が挿入可能な複数のボール嵌挿部２０を、前方後方部１７に後方継合部２１を有する前方シャフト１３を形成し、中心部位に貫通孔２３を、前方部に前記前方シャフト１３の後方継合部２１と噛合する前方継合部２４を、且外周部２５全体に凹溝２６を有するジョイント付シャフト２２を形成し、前方に前段シャフト２８を後方にシャンク２９を有し、前記前段シャフト２８と前記シャンク２９との間に中段シャフト３０と鍔部３１と後段シャフト３２とからなる後方シャフト２７を形成し、前記後方シャフト２７の後段シャフト３２に挿入する挿入孔３３ａを有するベアリング３３と、前記カラーａの後方螺孔６と螺着する雄ネジ３５を外周に形成し、前記後方シャフト２７の後段シャフト３２が嵌挿する嵌挿孔３６を有する止めネジ３４とを有し、前記前方シャフト１３に前記スプリング１４と前記ワッシャー１５を挿入し、前記ジョイント付シャフト２２の嵌挿孔２３に後方シャフト２７を挿入後前記前方シャフト１３の嵌挿孔１８に挿入せしめ、且前記前方シャフト１３の後方継合部２１と前記ジョイント付シャフト２２の前方継合部２４とを噛合し、前記カラーａ内の第１嵌挿孔７、第２嵌挿孔８、第３嵌挿孔９に挿入し、前記前方嵌着孔５より前記前方シャフト１３の螺子部１６を飛出し、前記ベアリング３３を前記後方シャフト２７の後段シャフト３２に挿入して前記止めネジ３４を前記カラーａの後方螺孔６に螺着すると共に、前記螺孔１１に押しネジ１２を螺入して前記押しネジ１２の先端部がジョイント付シャフト２２の凹溝２６に挿入し、前記カラーａに前記中空状切替えグリップｃを嵌挿せしめるコンクリートドリル等の切替え機構である。
【００１７】
請求項５の記載の発明は、スクレーパー２を振動せしめる振動機構ｂ´を嵌着し、且嵌着せしめた振動機構ｂ´と一体となって振動し、前方の前方外周部３に外側係止部４を有する中空状カラーａと、前記中空状カラーａの前記外側係止部４に嵌合する内側係止部４ｃを内側部３ａの前方部に形成し、前記カラーａの径より大径の中空状切替えグリップｃとを別設し、前記中空状カラーａに前記中空状切替えグリップｃを嵌挿し、前記グリップｃを前進すると前記外側係止部４と前記内側係止部４ｃとが嵌合係止すると前記中空状カラーａと前記切替えグリップｃが前記振動機構ｂ´によって回転工具スクレーパー２が振動し、前記スクレーパー２に代えて回転工具１を嵌着したときは、前記グリップｃを後進せしめて前記内側係止部４ｃを前記外側係止部４より嵌合係止状態から離脱し前記グリップｃを空転せしめて前記回転工具１を回転せしめるコンクリートドリル等の切替え機構である。
【００１８】
請求項６記載の発明は、前記回転及び振動機構ｂは、スプリング１４とワッシャー１５を嵌挿し且前方に螺子部１６を、後方部１７に後方継合部２１を有する前方シャフト１３を形成し、前方部に前記前方シャフト１３の後方継合部２１と噛合する前方継合部２４を、且前方に前段シャフト２８を後方にシャンク２９を有し、前記前段シャフト２８と前記シャンク２９との間に中段シャフト３０とを有する後方シャフト２７を形成し、前記中段シャフト３０を挿入する挿入孔３３ａを有するベアリング３３と、前記カラーａの後方螺孔６と螺着する雄ネジ３５を外周に形成し、前記後方シャフト２７の中段シャフト３０が嵌挿する嵌挿孔３６を有する止めネジ３４とを有し、前記前方シャフト１３に前記スプリング１４と前記ワッシャー１５を挿入し、前記前方シャフト１３の後方継合部２１と前記後方シャフト２７の前方継合部２４とを噛合し、前記カラーａ内の第１嵌挿孔７、第２嵌挿孔８に前記前方シャフト１３と後方シャフト２７とを挿入し、前記前方嵌着孔５より前記前方シャフト１３の螺子部１６を飛出し、前記ベアリング３３を前記後方シャフト２７の中段シャフト３０に挿入して前記止めネジ３４を前記カラーａの後方螺孔６に螺着すると共に、前記カラーａに前記中空状切替えグリップｃを嵌挿せしめるコンクリートドリル等の切替え機構である。
【発明の効果】
【００１９】
請求項１記載の発明は、コンクリートドリル１を回転しながら打撃振動する回転及び振動機構ｂを嵌着し、且嵌着せしめた回転及び振動機構ｂと一体となって回転しながら打撃振動すると共に、前方の前方外周部３に外側係止部４を有する中空状カラーａと、前記中空状カラーａの前記外側係止部４に嵌合する内側係止部４ｃを内側部３ａの前方部に形成し、前記カラーａの径より大径の中空状切替えグリップｃとを別設し、前記中空状カラーａに前記中空状切替えグリップｃを嵌挿し、前記グリップｃを前進すると前記外側係止部４と前記内側係止部４ｃとが嵌合係止し前記中空状カラーａと前記切替えグリップｃが前記回転及び振動機構ｂによってコンクリートドリル１が回転しながら打撃振動し、他方スクレーパー２の場合は前記中空状カラーａと前記切替えクリップｃが嵌合係止すると振動し、前記クリップｃを前進せしめて前記内側係止部４ｃを前記外側係止部４より嵌合係止状態から離脱し前記グリップｃを空転せしめて前記回転工具１を回転し、前記スクレーパー２と前記回転工具１とを取り換えて回転せしめることを特徴とするコンクリートドリル等の切替え機構なので、前記切替えグリップと内側に嵌挿している前記カラーとの嵌合係止をさせたり、あるいは前記両体の嵌合係止の解除をせしめる操作によって、砂利を含んでいる固いコンクリートでも、前記コンクリートドリルを回転しながら打撃と振動を与えながら、孔開け作業を確実にして、且スムーズに行うことができる利点を有している。
【００２０】
さらに、本発明の機構は、前記のようにして、コンクリートへの孔開け作業が終了したら、前記切換えグリップを後進させ電動工具を回転せしめると、前記切換えグリップを握持したまま比較的柔かい部材への孔開けをスムーズに行うことができる利点を有している。
【００２１】
請求項２記載の発明は、前記中空状カラーａは、前方部に前方嵌着孔５を、後方部に後方螺孔６を設け、前記前方嵌着孔５より後方部に前記前方嵌着孔５の径より大径の第１嵌挿孔７を、前記第１嵌挿孔７の後方部に順次径が大径の第２嵌挿孔８と第３嵌挿孔９とを形成し、且前記第２嵌挿孔８と前記中空状カラーａの後方外周部１０との間に、前記第２嵌挿孔８に達する押しネジ１２が螺入可能の螺孔１１を形成するか、もしくは前記押しネジ１２と前記押しネジ１２を螺入する螺孔１１を有しないコンクリートドリル等の切替え機構なので、請求項１に記載の発明と同じ効果を有する。
【００２２】
請求項３記載の発明は、前記中空状切替えグリップｃの前記内側係止部４ｃは、内側部３ａの前方部に形成し、且内側部３ａの後方部をフラット面にて形成し、且前記中空状カラーａの後方外周部１０と密着できる形状にて形成するコンクリートドリル等の切替え機構なので、請求項１もしくは同２に記載の発明と同じ効果を有する。
【００２３】
請求項４記載の発明は、前記回転及び振動機構ｂは、スプリング１４とワッシャー１５を嵌挿し且前方に螺子部１６を、後方部１７より前方部方向の内部の中心部位に嵌挿部１８及びスチールボール１９が挿入可能な複数のボール嵌挿部２０を、前方後方部１７に後方継合部２１を有する前方シャフト１３を形成し、中心部位に貫通孔２３を、前方部に前記前方シャフト１３の後方継合部２１と噛合する前方継合部２４を、且外周部２５全体に凹溝２６を有するジョイント付シャフト２２を形成し、前方に前段シャフト２８を後方にシャンク２９を有し、前記前段シャフト２８と前記シャンク２９との間に中段シャフト３０と鍔部３１と後段シャフト３２とからなる後方シャフト２７を形成し、前記後方シャフト２７の後段シャフト３２に挿入する挿入孔３３ａを有するベアリング３３と、前記カラーａの後方螺孔６と螺着する雄ネジ３５を外周に形成し、前記後方シャフト２７の後段シャフト３２が嵌挿する嵌挿孔３６を有する止めネジ３４とを有し、前記前方シャフト１３に前記スプリング１４と前記ワッシャー１５を挿入し、前記ジョイント付シャフト２２の嵌挿孔２３に後方シャフト２７を挿入後前記前方シャフト１３の嵌挿孔１８に挿入せしめ、且前記前方シャフト１３の後方継合部２１と前記ジョイント付シャフト２２の前方継合部２４とを噛合し、前記カラーａ内の第１嵌挿孔７、第２嵌挿孔８、第３嵌挿孔９に挿入し、前記前方嵌着孔５より前記前方シャフト１３の螺子部１６を飛出し、前記ベアリング３３を前記後方シャフト２７の後段シャフト３２に挿入して前記止めネジ３４を前記カラーａの後方螺孔６に螺着すると共に、前記螺孔１１に押しネジ１２を螺入して前記押しネジ１２の先端部がジョイント付シャフト２２の凹溝２６に挿入し、前記カラーａに前記中空状切替えグリップｃを嵌挿せしめるコンクリートドリル等の切替え機構なので、請求項１もしくは同２もしくは同３に記載の発明と同じ効果を有する。
【００２４】
請求項５記載の発明は、スクレーパー２を振動せしめる振動機構ｂ´を嵌着し、且嵌着せしめた振動機構ｂ´と一体となって振動し、前方の前方外周部３に外側係止部４を有する中空状カラーａと、前記中空状カラーａの前記外側係止部４に嵌合する内側係止部４ｃを内側部３ａの前方部に形成し、前記カラーａの径より大径の中空状切替えグリップｃとを別設し、前記中空状カラーａに前記中空状切替えグリップｃを嵌挿し、前記グリップｃを前進すると前記外側係止部４と前記内側係止部４ｃとが嵌合係止すると前記中空状カラーａと前記切替えグリップｃが前記振動機構ｂ´によって回転工具スクレーパー２が振動し、前記スクレーパー２に代えて回転工具１を嵌着したときは、前記グリップｃを後進せしめて前記内側係止部４ｃを前記外側係止部４より嵌合係止状態から離脱し前記グリップｃを空転せしめて前記回転工具１を回転せしめるコンクリートドリル等の切替え機構なので、前記カラーａに対して前記切替えグリップｃを前進させ、且前記切替えグリップを握持すると、前記スクレーパー２が振動して剥がし作業がスムーズに行うことができる。
【００２５】
さらに、本発明は、前記グリップｃを後進させ、前記スクレーパー２に代えて回転工具のドリルと取替えると、従来の回転工具のドリルとして前記回転及び振動機構ｂ´が回転し孔開け作業ができる一石二鳥の利点を有している。
【００２６】
請求項６記載の発明は、前記回転及び振動機構ｂ´は、スプリング１４とワッシャー１５を嵌挿し且前方に螺子部１６を、後方部１７に後方継合部２１を有する前方シャフト１３を形成し、前方部に前記前方シャフト１３の後方継合部２１と噛合する前方継合部２４を、且前方に前段シャフト２８を後方にシャンク２９を有し、前記前段シャフト２８と前記シャンク２９との間に中段シャフト３０とを有する後方シャフト２７を形成し、前記中段シャフト３０を挿入する挿入孔３３ａを有するベアリング３３と、前記カラーａの後方螺孔６と螺着する雄ネジ３５を外周に形成し、前記後方シャフト２７の中段シャフト３０が嵌挿する嵌挿孔３６を有する止めネジ３４とを有し、前記前方シャフト１３に前記スプリング１４と前記ワッシャー１５を挿入し、前記前方シャフト１３の後方継合部２１と前記後方シャフト２７の前方継合部２４とを噛合し、前記カラーａ内の第１嵌挿孔７、第２嵌挿孔８に前記前方シャフト１３と後方シャフト２７とを挿入し、前記前方嵌着孔５より前記前方シャフト１３の螺子部１６を飛出し、前記ベアリング３３を前記後方シャフト２７の中段シャフト３０に挿入して前記止めネジ３４を前記カラーａの後方螺孔６に螺着すると共に、前記カラーａに前記中空状切替えグリップｃを嵌挿せしめるコンクリートドリル等の切替え機構なので、請求項５に記載の発明と同じ効果を有する。
【発明を実施するための最良の形態】
【００２７】
本発明の請求項１〜６記載の発明に関する実施の形態は共通するので、以下のとおり一括して説明する。
【００２８】
本発明のコンクリートドリル等の切替え機構は、コンクリートドリル１の場合前記ドリルを回転しながら打撃振動を与え砂利を破壊する回転及び振動機構ｂと、中空状カラーａと、中空状切替えグリップｃとからなっている。さらにスクレーパー２の場合振動を与えて剥がし作業と、切替えドリルを使用して孔開け作業をも可能にした回転及び振動機構ｂ´と、カラーａとグリップｃとからなっている。以下これら各構成部材の実施形態を説明する。
【００２９】
まず中空状カラーａの構成につき説明する。
【００３０】
前記中空状カラーａは、前方部に前方嵌着孔５を形成し、後方部には後方螺孔６を設け、前記前方嵌着孔５より後方部にかけて前記前方嵌着孔５の径よりも大径の第１嵌挿孔７と、前記第１嵌挿孔７の後方部に順次径が大径の第２嵌挿孔８と第３嵌挿孔９とを形成する。さらに前記第２嵌挿孔８と前記中空状カラーａの後方外周部１０との間に、前記第２嵌挿孔８に達する押しネジ１２が螺入可能の螺孔１１を形成する。あるいは前記押しネジ１２と前記押しネジ１２を螺入する螺孔１１を有しない場合もある。しかしかかる押しネジ１２と螺孔１１とが不要な実施としては、前記コンクリートドリル１ではなくスクレーパー２を使用する場合である。この点は後述する。
【００３１】
前記カラーａの後方外周部１０はフラット状とする。
【００３２】
さらに前記中空状カラーａは、前方外周部３に外側係止部４を形成する。
【００３３】
前記外側係止部４は軸方向に対し、通常凹部４ａと凸部４ｂを交互にして、且平行状に形成するものであり、しかし形状は限定せずに噛合係止する形状ならば良い。
【００３４】
前記したカラーａは、コンクリートドリル１を取着せしめる構造であるが、これに対し、スクレーパー２を嵌着して使用するカラーａは若干相違している。その実施例は以下のとおりである。
【００３５】
前記中空状カラーａは、前方部に前方嵌着孔５を形成し、後方部には後方螺孔６を設け、前記前方嵌着孔５より後方部にかけて前記前方嵌着孔５の径よりも大径の第１嵌挿孔７と、前記第１嵌挿孔７の後方部に順次径が大径の第２嵌挿孔８とを形成する。
【００３６】
前記カラーａの後方外周部１０はフラット状とする。
【００３７】
さらに前記中空状カラーａに外側方より嵌合する中空状切替えグリップｃについて説明する。
【００３８】
前記中空状切替えグリップｃは、内側部３ａの前方部に中空状カラーａの前記外側係止部４と嵌合する内側係止部４ｃを形成すると共に、前記グリップｃの径は、前記カラーａの径より大径とする。
【００３９】
また前記内側係止部４ｃは、前記グリップｃの軸方向に対し、通常凹部４ｄと凸部４ｅを交互にして、且平行状に形成するものであり、しかし形状は限定せずに噛合係止する形状ならば良い。
【００４０】
前記内側部３ａは内側部３ａの後方部をフラット面にて形成する。その結果前記フラット面が前記中空状カラーａの後方外周部１０とスライドがスムーズに密着する。
【００４１】
さらに前記グリップｃの内側係止部４ｃの凹部４ｄと凸部４ｅの長さは、通常前記カラーａの外側係止部４の凹部４ａと凸部４ｂの長さと同じとするが限定しない。
【００４２】
つぎに、前記カラーａに嵌着する回転及び振動機構ｂの実施例につき説明すると以下のとおりである。
【００４３】
前記回転及び振動機構ｂは、前記シャフト１３と、ジョイント付シャフト２２と、後方シャフト２７と、ベアリング３３と、止めネジ３４と、スプリング１４と、ワッシャー１５とから構成されている。
【００４４】
しかし、前記構成は、コンクリートドリル１を使用するときの機構ｂであるが、スクレーパー２として使用する機構ｂ´の場合は、前記したジョイント付シャフト２２の構造と若干相違している（図７、８、９）。すなわち前記ジョイント付シャフト２２と後方シャフト２７とが一体となって形成されている点において相違している。
【００４５】
さらに、前記各構成部材の実施例を説明する。
【００４６】
前記前方シャフト１３について説明する。
【００４７】
この前方シャフト１３は、円柱状をしており、前方に螺子部１６を、後方部１７より前方部方向の内部の中心部位に嵌挿部１８を形成する。そして前記嵌挿部１８の周囲にスチールボール１９が挿入可能な複数のボール嵌挿部２０を形成する。前記ボール１９は通常２個使用する。さらに前記後方部１７に切欠状の後方継合部２１を形成する。前記後方継合部２１は、図面図示のとおり、対称的に且前記後方継合部２１との間は、間隙部２１ａが形成されている。
【００４８】
前記の説明は、コンクリートドリル１を使用するときの実施例の説明であるが、スクレーパー２のときは、前記したスチールボール１９を不要とし、且前記ボール１９を挿入する嵌挿部２０は不要である。
【００４９】
図面上２２は円柱状のジョイント付シャフトであり、その実施例は以下のとおりである。
【００５０】
中心部位には貫通孔２３を形成し、前方部に前記前方シャフト１３の後方部に形成の後方継合部２１と噛合する切欠状の前方継合部２４を形成する。さらに外周部２５全体に前記押しネジ１２の先端部が挿入可能な形状の凹溝２６を形成する。
【００５１】
前記前方継合部２４は、前記後方継合部２１と噛合できるように、２つの対称的にして且所定の間隔を開けて間隙部２４ａを有するようにして形成する。
【００５２】
前記ジョイント付シャフト２２は、スクレーパー２を使用するときは、図７、８、９に図示しているとおり構造上若干相違している。この点については、前記したとおりなのでその説明が重複するので省略する。
【００５３】
つぎに後方シャフト２７の実施例につき説明する。
【００５４】
前記後方シャフト２７は、前方に角柱状の前段シャフト２８を後方にシャンク２９を有し、前記前段シャフト２８と前記シャンク２９との間には、円柱状の中段シャフト３０と円柱状の鍔部３１と円柱状の後段シャフト３２とが一体となって形成されている。
【００５５】
しかし、前記後方シャフト２７は、コンクリートドリル１を回転せしめる部材であるが、スクレーパー２を使用する場合は下記の構成のものを使用する。
【００５６】
前方部に前記前方シャフト１３の後方継合部２１と噛合する前方継合部２４を、且前方に前段シャフト２８を後方にシャンク２９を有し、前記前段シャフト２８と前記シャンク２９との間に前記前段シャフト２８より小径の中段シャフト３０とを形成する。以上が第２実施例の後方シャフト２７の構成である。
【００５７】
さらに、前記ベアリング３３の実施例について説明すると以下のとおりである。
【００５８】
このベアリング３３は、前記後方シャフト２７の後段シャフト３０が挿入可能な径の挿入孔３３ａを有している。前記挿入孔３３ａと外周部３３ｂとの間には、ボールベアリング１９ａが内挿されている。
【００５９】
前記ベアリング３３はスクレーパー２を使用する機構にも使用する。
【００６０】
つぎに止めネジ３４の実施例を説明すると以下のとおりである。
【００６１】
前記カラーａの後方螺孔６と螺着する雄ネジ３５を外周に形成し、前記後方シャフト２７の後段シャフト３２が嵌挿可能な嵌挿孔３６を形成する。
【００６２】
この止めネジ３４は前記スクレーパー２を使用する前記機構にも使用する。
【００６３】
前記の各構成部は、以下のようにして組立てる。
【００６４】
前記前方シャフト１３に前記スプリング１４と前記ワッシャー１５挿入し、前記ジョイント付シャフト２２の嵌挿孔２３に後方シャフト２７を挿入後前記前方シャフト１３の嵌挿孔１８に挿入せしめる。
【００６５】
さらに前記前方シャフト１３の後方継合部２１と前記ジョイント付シャフト２２の前方継合部２４とを噛合する。そして前記カラーａ内の第１嵌挿孔７、第２嵌挿孔８、第３嵌挿孔９に挿入し、前記前方嵌着孔５より前記前方シャフト１３の螺子部１６を飛出し、前記ベアリング２８を前記後方シャフト２７の後段シャフト３２に挿入して前記止めネジ３４を前記カラーａの後方螺孔６に螺着する。    
【００６６】
そして前記螺孔１１に押しネジ１２を螺入して前記押しネジ１２の先端部がジョイント付シャフト２２の凹溝２６に達するようにして挿入する。
【００６７】
さらに前記カラーａに前記中空状切替えグリップｃを前進もしくは後進可能な状態にして嵌挿せしめ組立てる。
【００６８】
前記各構成部材を前記のようにして組立てると、前記シャフト１３の螺子部１６にコンクリートドリル１のドリルを嵌着せしめた回転工具用アダプター４０と接続する。
【００６９】
前記のようにして組立てられた各構成部材の中、前記グリップｃを前進させて前記内側係止部４ｃと前記外側係止部４とを嵌合係止する。
【００７０】
しかる後電動工具ｄを駆動すると、前記カラーａと前記グリップｃと前記回転及び振動機構ｂとが同時に回転する。
【００７１】
その際、前記コンクリートドリル１が硬度が大きく、且砂利を含んでいるコンクリートへの孔開け時には、硬度の小さい板材等への孔開け時と異なり、前記コンクリートドリルに対し、含有する砂利があっても回転と振動打撃を適宜に与えながら孔開け作業をスムーズに進めて行く機構である。
【００７２】
他方、硬度の小さい板材等に孔を開けるときは、前記グリップｃを後進させて、前記内側係止部４ａと前記外側係止部４との嵌合係止状態を解除する。
【００７３】
しかる後電動工具ｄを駆動すると、前記カラーａは空転し、他の前記カラーａと回転及び振動機構ｂとだけが回転し、前記コンクリートドリル１によってスムーズに孔を開けることができる。
【００７４】
従って、本発明は、前記グリップｃを前記カラーａに対し、前進もしくは後進をさせるだけで、硬度の大小の被孔開け部材に対応して工具１のドリル刃を欠かさずに孔開けができる。
【００７５】
つぎに、振動を支えて剥がし作業をするスクレーパーの操作について説明すると以下のとおりである。
【００７６】
前記前方シャフト１３に前記スプリング１４と前記ワッシャー１５を挿入する。
【００７７】
さらに前記前方シャフト１３の後方継合部２１と後方シャフト２７の前方継合部２４とを噛合する。そして前記カラーａ内の第１嵌挿孔７、第２嵌挿孔８に前記前方シャフト１３を挿入し、前記前方嵌着孔５より前記前方シャフト１３の螺子部１６を飛出し、前記ベアリング３３を前記後方シャフト２７の後段シャフト３０に挿入して前記止めネジ３４を前記カラーａの後方螺孔６に螺着する。
【００７８】
さらに前記カラーａに前記中空状切替えグリップｃを前進もしくは後進可能な状態にして嵌挿せしめ組立てる。
前記各構成部材を前記のようにして組立てると、前記シャフト１３の螺子部１６にスクレーパー２を嵌着せしめたセパレート用アダプターと接続する。
【００７９】
さらに、前記シャンク２９は電動工具ｄと接続する接続アダプター４１に接続する。
【００８０】
前記のようにして組立てられた各構成部材の中、前記グリップｃを前進させて前記内側係止部４ｃと前記外側係止部４とを嵌合係止する。
【００８１】
しかる後前記電動工具ｄを駆動すると、握持中の前記カラーａと嵌合係止している前記グリップｃと前記回転及び振動機構ｂ´とが同時に作動して、スクレーパーｂ´が振動し剥がし作業をスムーズに行うことができる。
【００８２】
前記スクレーパー２による剥がし作業が終了した後、前記スクレーパー２を取外し、コンクリートドリル１に取替える。
【００８３】
前記のような状態となっている前記グリップｃを後進させて、嵌合係止している両係止部４、４ｃが嵌合係止状態から離脱する。さらにスクレーパー２からドリルに替えて取着後前記電動工具ｄを駆動せしめると、回転して孔開け作業ができる。
【００８４】
上記のとおり前記グリップｃを前記カラーａに対し前進もしくは後進させ前記係止部４、４ｃの嵌合係止を交互に繰返すことによって、前記スクレーパー２による剥がし作業とドリルによる孔開け作業が交互に可能となる。
【図面の簡単な説明】
【００８５】
【図１】本発明コンクリートドリル等の切替え機構の使用状態を示す一部切欠正面図である。
【００８６】
【図２】同機構の一部切欠分解斜視図である。
【００８７】
【図３】同機構の嵌合係止状態を示す縦断正面図である。
【００８８】
【図４】図３の機構を回転した状態を示す縦断正面図である。
【００８９】
【図５】同機構のグリップを後進させた状態の縦断正面図である。
【００９０】
【図６】同機構のスクレーパーの組立て前の正面図である。
【００９１】
【図７】同機構のスクレーパーを取着する組立て前の一部切欠斜視図である。
【００９２】
【図８】同機構のグリップの後進状態を示す第２実施例の縦断正面図である。
【００９３】
【図９】図８の機構におけるグリップを前進せしめたときの縦断正面図である。
【符号の説明】
【００９４】
ａ        カラー
ｂ  ｂ´  回転及び振動機構
ｃ        グリップ
ｄ        電動工具
１        コンクリートドリル
２        スクレーパー
３        前方外周部
３ａ      内側部
４        外側外周部
４ａ      凹部
４ｂ      凸部
４ｃ      内側係止部
４ｄ      凹部
４ｅ      凸部
５        嵌着孔
６        後方螺孔
７        第１嵌挿孔
８        第２嵌挿孔
９        第３嵌挿孔
１０      後方外周部
１１      螺孔
１２      押しネジ
１３      前方シャフト
１４      スプリング
１５      ワッシャー
１６      螺子部
１７      後方部
１８      嵌挿部
１９      スチールボール
２０      ボール嵌挿部
２１      後方継合部
２２      ジョイント付シャフト
２３      貫通孔
２４      前方継合部
２５      外周部
２６      凹溝
２７      後方シャフト
２８      前段シャフト
２９      シャンク
３０      中段シャンク
３１      鍔部
３２      後段シャフト
３３      ベアリング
３３ａ    挿入孔
３４      止めネジ
３５      雄ネジ
３６      嵌挿孔
【図１】
2010046754.tif 000003
【図２】
2010046754.tif 000004
【図３】
2010046754.tif 000005
【図４】
2010046754.tif 000006
【図５】
2010046754.tif 000007
【図６】
2010046754.tif 000008
【図７】
2010046754.tif 000009
【図８】
2010046754.tif 000010
【図９】
2010046754.tif 000011